(57)【要約】【課題】月表示の切換えを簡単に行うことができるとともに、本体内に対する雑菌やゴミの侵入を抑制できる浄水器水栓を提供すること。【解決手段】本体１０の側部に吐水・止水のためのハンドル４３を設ける。ハンドル４３の軸の周りに月表示のための環状の表示部材５２を設ける。ハンドルの軸の外周を覆うカバー筒４１に表示窓４７を設け、表示部材５２の月表示が前記表示窓４７内において切り替わるようにした。【選択図】図２
2015183382.tif 000002
【特許請求の範囲】
【請求項１】
本体の内部に浄水カートリッジを収容するための収容部を設けるとともに、本体の側部に吐水・止水のためのハンドルを設けた浄水器水栓において、
前記ハンドルの軸の周りに月表示のための環状の表示手段を設けた浄水器水栓。
【請求項２】
ハンドルの軸の外周を覆うカバー筒に表示窓を設け、カバー筒の内部に環状の表示部材を設け、表示部材の月表示が前記表示窓内において切り替わるようにした請求項１に記載の浄水器水栓。
【請求項３】
表示部材の操作フランジをカバー筒とフランジとの間の間隙に配置した請求項２に記載の浄水器水栓。
【発明の詳細な説明】
【技術分野】
【０００１】
この発明は、浄水用フィルタとしてのカートリッジを備えた浄水器水栓に関するものである。
【背景技術】
【０００２】
この種の浄水器水栓が特許文献１に開示されている。特許文献１の従来構成では、図５及び図６に示すように、本体７１の上端とその上端にネジ着されるキャップ７２との間に、各月の数字が表示された表示環７３が回転可能に設けられている。また、キャップ７２には表示環７３と向かい合う位置に表示窓７４が設けられている。そして、本体７１の内部に収容されたカートリッジ７５の交換時に、キャップ７２を外した状態で、表示環７３を回転させて、交換された新たなカートリッジ７５の交換時期を示す月の表示を表示窓７４と対応する位置に配置し、キャップ７２を装着する。
【先行技術文献】
【特許文献】
【０００３】
【特許文献１】意匠登録第１４１４２６６号公報
【発明の概要】
【発明が解決しようとする課題】
【０００４】
特許文献１の従来構成においては、次のような問題があった。
すなわち、特許文献１の浄水器水栓においては、キャップ７２を外さないと表示環７３を回転操作できない。このため、カートリッジ７５の交換時に交換月の設定を忘れた場合は、改めてキャップ７２を外して表示環７３を回転させる必要がある。キャップ７２を外して本体７１の上部を開放したときには、本体７１内に雑菌やゴミが入るおそれがある。特に、本体７１内のカートリッジ７５の二次側は、殺菌用の塩素が除去された浄水が通るため、雑菌混入防止の観点から、キャップ７２は頻繁に外さないほうが好ましい。しかし、特許文献１の浄水器水栓においては、キャップ７２を外す回数が増えるおそれがある。
【０００５】
また、表示環７３の回転はキャップ７２を外した状態で行なわれるため、カートリッジ７５の交換時に交換月の設定を行ったとしても、本体７１の上部の開放時間が長くなることは避けられず、この点においても、従来の浄水器水栓は不利である。
【０００６】
本発明の目的は、浄水カートリッジの交換月の表示切換えを簡単に行なうことができるとともに、浄水カートリッジが収容された本体を開放する回数や時間が少なくなる浄水器水栓を提供することにある。
【課題を解決するための手段】
【０００７】
上記の目的を達成するために、本体の内部に浄水カートリッジを収容するための収容部を設けるとともに、本体の側部に吐水・止水のためのハンドルを設けた浄水器水栓において、前記ハンドルの軸の周りに月表示のための環状の表示手段を設けたことを特徴とする。
【０００８】
以上の構成においては、表示手段の位置を浄水カートリッジの上部カバー等を外したりすることなく切換えることができる。従って、表示手段の位置の切換えを簡単に行うことができるとともに、浄水カートリッジの装着部に対する雑菌やゴミの侵入を抑制できる。
【発明の効果】
【０００９】
本発明によれば、表示手段の位置の切換えを簡単に行うことができるとともに、本体内に対する雑菌やゴミの侵入を抑制できるという効果がある。
【図面の簡単な説明】
【００１０】
【図１】実施形態の浄水器用水栓の斜視図。
【図２】表示手段の部分を示す分解斜視図。
【図３】浄水器用水栓の断面図。
【図４】表示手段の部分の断面図。
【図５】従来の浄水器水栓の斜視図。
【図６】従来の浄水器水栓の分解斜視図。
【発明を実施するための形態】
【００１１】
以下、浄水器水栓の実施形態を図１〜図４の図面に従って説明する。
図３に示すように、浄水器水栓Ａの本体１０のボディ１１の内部には水路１２が形成されている。ボディ１１の下部には前記水路１２に連通するジョイント１３が固定されている。このジョイント１３は水道の給水管（図示しない）に接続される。ボディ１１の上部には収容部としての収容筒１５が固定され、その内部が前記水路１２と連通されている。前記ボディ１１には前記水路１２を開閉するバルブ機構１８が内装されている。そして、バルブ機構１８が開放されることにより、前記給水管からの水道水が収容筒１５内に供給される。
【００１２】
前記収容筒１５の上端には接続筒２１が着脱可能に接続され、その内部に浄水カートリッジ１６の上端が挟入状態で着脱可能に支持される。この支持状態で浄水カートリッジ１６が前記収容筒１５内に遊挿状態で収容される。接続筒２１の上端にはジョイント２２が回転可能に接続されている。このジョイント２２の側部には吐水パイプ２３が接続されている。
【００１３】
そして、前記バルブ機構１８の開放時に前記収容筒１５内に供給された水道水が、浄水カートリッジ１６の多孔質材よりなる下部周壁から浄水カートリッジ１６内に至り、その浄水カートリッジ１６内の活性炭若しくは中空糸膜、またはその両方によって浄化される。そして、浄化水が浄水カートリッジ１６の上端から吐出されて、さらに接続筒２１及びジョイント２２を経て吐水パイプ２３から外部に吐出される。
【００１４】
前記ボディ１１の外周には前記収容筒１５の外側を覆うメインカバー３１が固定されている。前記接続筒２１の外周には上部カバー３２が取り付けられており、この上部カバー３２はネジ部３２ａを介してメインカバー３１に対して着脱可能である。前記ジョイント２２には、上部カバー３２の上部に位置するキャップ３３が取り付けられている。なお、本実施形態では、前記ボディ１１，収容筒１５，接続筒２１,メインカバー３１及び上部カバー３２によって前記本体１０が構成されている。
【００１５】
前記バルブ機構１８の位置と対応するように、前記メインカバー３１の下部にはカバー筒４１が突出されている。そのカバー筒４１内において、前記ボディ１１には軸受け部材１１１が固定されている。この軸受け部材１１１には前記バルブ機構１８のバルブ軸４２が回転可能に支持されている。バルブ軸４２には吐水・止水を操作するための操作ハンドル４３が、スペーサ４４，４５を介してネジ４６によって固定されている。この操作ハンドル４３を回転操作することにより、同ハンドル４３の軸であるバルブ軸４２を介してバルブ機構１８が開閉される。
【００１６】
図１及び図２に示すように、カバー筒４１の前部側には斜め上方に向かって開口する表示窓４７が形成されている。
図２〜図４に示すように、前記軸受け部材１１１の外周には案内筒５１が固定されている。この案内筒５１の外周には環状の表示部材５２がバルブ軸４２の軸心を中心に回転可能に取付けられている。表示部材５２は、筒部５３１及び外周に凹凸の滑り止めを有するフランジ５３２を有する操作環５３と、フランジ５３２の外周に固定されたほぼＣ形の表示環５４とを有する。そして、操作環５３のフランジ５３２の外周部が、前記カバー筒４１と操作ハンドル４３との間の隙間から外部に露出して、このフランジ５３２により表示部材５２を回転操作させることができる。なお、表示環５４は、自身の弾性及び前記筒部５３１の弾性と、図示しない凹凸の嵌合とにより、筒部５３１の外周面に固定されている。
【００１７】
表示環５４の外周面には１年の各月の表示が「１月」「２月」・・・・というように付されている。そして、表示部材５２の回転にともない、月表示が前記表示窓４７内を順次通過される。前記カバー筒４１の内周面には等間隔をおいて複数の凹部５５が形成されるとともに、前記操作環５３には表示部材５２の回転にともない前記凹部５５内に位置する凸部５６が形成されている。そして、表示部材５２の回転にともなう凸部５６と凹部５５との係合により、月表示が表示窓４７内に位置するごとに、表示部材５２の回転にクリック感が与えられる。このため、いずれかの月表示が表示窓４７内に位置した状態で、表示部材５２が弾性的に保持される。本実施形態においては、表示窓４７及び表示部材５２により表示手段が構成されている。
【００１８】
以下に、本実施形態の浄水器水栓の作用を説明する。
浄水カートリッジ１６の交換は、上部カバー３２を回してメインカバー３１のネジ部３２ａから外すとともに、接続筒２１を収容筒１５から取り外し、接続筒２１から旧浄水カートリッジ１６を外す。
【００１９】
そして、新たな浄水カートリッジ１６の上端を接続筒２１に接続して、その浄水カートリッジ１６が収容筒１５内に収容されるように接続筒２１を収容筒１５に装着するとともに、上部カバー３２をメインカバー３１にネジ着する。このとき、表示部材５２のフランジ５３２を操作して、新たなカートリッジ１６の交換すべき月が表示窓４７内に位置するようにする。従って、浄水器水栓の使用者は、表示窓４７内の月表示により次回の交換時期を明確に認識できる。
【００２０】
カートリッジ１６の交換時に月表示の切換えを忘れた場合には、その交換後に表示部材５２のフランジ５３２を回転操作して、表示部材５２の月表示を切換えればよい。
そして、表示部材５２は、所要の月表示の状態で、凹部５５と凸部５６との係合によって弾性的に保持されるため、浄水の吐出や吐出停止のために操作ハンドル４３を操作しても、不本意に月表示が切換えられることはない。
【００２１】
本実施形態においては、以下の効果がある。
（１）表示部材５２の月表示が斜め上方を向く表示窓４７内に表示されるため、その月表示を見やすくすることができて、浄水カートリッジ１６の交換時期を明確に認識できる。
【００２２】
（２）月表示を上部カバー３２や接続筒２１等を外したりすることなく、操作環５３の操作によって切換えることができる。従って、浄水カートリッジ１６の交換時に月表示の切換え操作を忘れたような場合、その後の月表示の切換えを上部カバー３２等の取り外しをともなうことなく簡単に実行できる。このため、月表示の切換えを本体１０の長時間の開放ともなうことなく簡単に行なうことができて、浄水カートリッジ１６の装着部に対する雑菌やゴミの侵入を抑えることができる。
【００２３】
（３）使用者によって操作される操作環５３のフランジ５３２が、カバー筒４１と操作ハンドル４３との間の隙間から外部に臨んでいる。従って、操作部分を目立たなくできて、浄水器水栓のデザイン性が損なわれることはない。これに対し、例えば月表示変更の操作部分をメインカバー３１の上部等に設けた場合は、その操作部分が目立って浄水器水栓のデザイン性が損なわれる。
【００２４】
（変更例）
なお、本実施形態は、次のように変更して具体化することも可能である。
・操作ハンドルが本体の上端に配置された浄水器水栓において本発明を具体化すること。
【００２５】
・前記実施形態では、カバー筒４１に表示窓４７を設けて、カバー筒４１内の表示環５４が回転することにより、表示窓４７内において月表示が切換えられるように構成したが、表示環５４をカバー筒４１の外周に露出状態で回転可能に設けるとともに、カバー筒４１の外周面には選択された月表示を指示するための指針を付すこと。
【００２６】
・表示環あるいは環状の月表記をカバー筒４１の外周に露出状態で固設するとともに、カバー筒４１の外周面には選択された月表示を指示するための指針を回転可能に設けること。
【符号の説明】
【００２７】
１０…本体、４１…カバー筒、４２…バルブ軸、４３…ハンドル、４７…表示窓、５２…表示部材、５３２…フランジ、Ａ…浄水器水栓。
【図１】
2015183382.tif 000003
【図２】
2015183382.tif 000004
【図３】
2015183382.tif 000005
【図４】
2015183382.tif 000006
【図５】
2015183382.tif 000007
【図６】
2015183382.tif 000008